(57)【特許請求の範囲】
【請求項１】
ボビンと、
前記ボビンに巻回された導線と、
前記ボビンに設けられ、前記導線の端部が巻き付けられて前記導線と電気的に接続される、断面円形の線材からなるターミナルとを備え、
前記ターミナルは、前記導線の端部が巻き付けられた領域の中で、先端側であって溶融したロウ材に浸漬されることにより前記導線と接合される接合部と前記接合部を除いた非接合部とを有したコイル装置において、
前記接合部には、前記ロウ材に浸漬される際に、前記接合部に巻き付けられた前記導線の端部が前記ターミナルの軸線方向に移動するのを防止する第１の移動防止手段が設けられ、
前記第１の移動防止手段は、前記線材が押しつぶされて一部が径方向に突出した偏平形状で間隔をおいて形成された複数の当接部であり、
前記導線の端部は、隣り合う前記当接部の間から巻き付けが開始され、前記隣り合う前記当接部の一方の前記当接部にも巻き付けられており、
前記導線の端部は、前記隣り合う前記当接部の間において密に巻き付けられ、前記隣り合う前記当接部の一方の前記当接部および前記非接合部において粗く巻き付けられていることを特徴とするコイル装置。
【請求項２】
前記複数の前記当接部の内の前記接合部の先端側にある前記当接部は、他の前記当接部よりも軸線方向に長く形成されていることを特徴とする請求項１に記載のコイル装置。
【請求項３】
前記非接合部には、前記非接合部に巻き付けられた前記導線の端部が所定の範囲を超えて軸線方向に移動するのを防止する第２の移動防止手段が形成されていることを特徴とする請求項１又は２に記載のコイル装置。
【発明の詳細な説明】
【技術分野】
【０００１】
この発明は、ボビンと、このボビンに巻回された導線と、ボビンに設けられ、導線の端部が巻き付けられて電気的に接続されるターミナルとを備え、このターミナルは、ロウ材に浸漬されることにより導線と接合される接合部を有したコイル装置に関する。
【背景技術】
【０００２】
従来、ボビンと、前記ボビンに巻回された導線と、前記ボビンに設けられ、前記導線の端部が巻き付けられて前記導線と電気的に接続される、線材からなるターミナルとを備え、前記ターミナルは、溶融した半田に浸漬されることにより前記導線と接合される接合部を先端に有したコイル装置が知られている（例えば、特許文献１参照）。
【０００３】
【特許文献１】特開２００６−１７９６５４号公報
【発明の開示】
【発明が解決しようとする課題】
【０００４】
しかしながら、このものの場合、巻き付けられた導線の端部とターミナルとを接合させるために、接合部を先端側から半田槽に浸漬すると、半田の液面により導線が接合部に対して滑って押し上げられてしまい、導線とターミナルとの電気的な接続不良が発生し、また、接合部を半田槽から抜き出すと、半田の力により導線が接合部に対して滑って引き下げられてしまい、ターミナルから導線が外れてしまうという問題点があった。
【０００５】
この発明は、上述のような問題点を解決することを課題とするものであって、その目的は、接合部がロウ材に浸漬される際に、ロウ材により導線が接合部に対して軸線方向に所定の範囲を超えて移動することを防止して、導線とターミナルとの電気的な接続不良の発生を低減し、また、ターミナルから導線が外れてしまうことを防ぐことができるコイル装置を提供するものである。
【課題を解決するための手段】
【０００６】
この発明に係るコイル装置は、ボビンと、前記ボビンに巻回された導線と、前記ボビンに設けられ、前記導線の端部が巻き付けられて前記導線と電気的に接続される、断面円形の線材からなるターミナルとを備え、前記ターミナルは、前記導線の端部が巻き付けられた領域の中で、先端側であって溶融したロウ材に浸漬されることにより前記導線と接合される接合部と前記接合部を除いた非接合部とを有したコイル装置において、前記接合部には、前記ロウ材に浸漬される際に、前記接合部に巻き付けられた前記導線の端部が前記ターミナルの軸線方向に移動するのを防止する第１の移動防止手段が設けられ、前記第１の移動防止手段は、前記線材が押しつぶされて一部が径方向に突出した偏平形状で間隔をおいて形成された複数の当接部であり、前記導線の端部は、隣り合う前記当接部の間から巻き付けが開始され、前記隣り合う前記当接部の一方の前記当接部にも巻き付けられている。
【発明の効果】
【０００７】
この発明に係るコイル装置によれば、接合部がロウ材に浸漬される際に、接合部の第１の移動防止手段が、ロウ材により導線が接合部に対して軸線方向に所定の範囲を超えて移動することを防止するので、導線とターミナルとの電気的な接続不良の発生を低減し、また、ターミナルから導線が外れてしまうことを防ぐことができる。
【発明を実施するための最良の形態】
【０００８】
以下、この発明の各実施の形態を図に基づいて説明するが、各図において、同一または相当の部材、部位については、同一符号を付して説明する。
実施の形態１．
図１（ａ）はこの実施の形態に係るコイル装置の平面図、図１（ｂ）は図１（ａ）のコイル装置の正面図、図１（ｃ）は図１（ｂ）のコイル装置の側面図、図２（ａ）は図１（ａ）の導線２が巻き付けられたターミナル３を示す正面図、図２（ｂ）は図２（ａ）のターミナル３を示す側面図、図２（ｃ）は図２（ｂ）のターミナル３を示す側面図である。
この実施の形態に係るコイル装置は、円筒形状のボビン１と、このボビン１に巻回された導線２と、ボビン１に固定された線材からなるターミナル３とを備えている。
導線２の端部は、ターミナル３の先端側に巻き付けられており、ロウ材である半田によりターミナル３と電気的に接続されるとともにターミナル３に固定される。
【０００９】
ターミナル３は、導線２が巻き付けられた領域の中で、先端側であって半田に浸漬されることにより導線２と接合される接合部３ａと、接合部３ａを除く非接合部３ｂとを有している。
接合部３ａには、半田に浸漬される際に、巻き付けられた導線２の端部が所定の範囲を超えて接合部３ａの軸線方向に移動するのを防止する第１の移動防止手段４が形成されている。
【００１０】
第１の移動防止手段４は、接合部３ａの先端側に形成された当接部５ａと、この当接部５ａより非接合部３ｂ側に間隔をおいて形成された当接部５ｂとから構成されている。
なお、第１の移動防止手段４の当接部の数は、これに限らない。
当接部５ａおよび当接部５ｂのそれぞれは、当接部５ａと当接部５ｂとの間の接合部３ａに巻き付けられた導線２の端部と軸線方向に当接可能となっている。
当接部５ａおよび当接部５ｂのそれぞれは、押しつぶされて一部が径方向に突出した偏平形状となっており、また、摩擦により導線２が切断されないようにエッジのない形状となっている。
【００１１】
導線２は、当接部５ａと当接部５ｂとの間に密に巻き付けられ、連続して当接部５ｂに一周巻き付けられて、さらに非接合部３ｂに粗く巻き付けられている。
非接合部３ｂに巻き付けられた導線２は、連続してボビン１に巻回されている。
【００１２】
次に、この実施の形態に係るコイル装置の導線２が巻き付けられたターミナル３を半田に浸漬するときの様子について説明する。
導線２が巻き付けられたターミナル３を先端側から、溶融した半田が溜められた槽に浸漬すると、半田の液面からの力により、巻き付けられた導線２が接合部３ａに対して滑り、所定の範囲だけ当接部５ｂ側に導線２が移動する。
しかしながら、巻き付けられた導線２が当接部５ｂと当接することにより、当接部５ｂより非接合部３ｂ側への導線２の移動が防止されるので、導線２とターミナル３との間に十分半田が浸漬されて、導線２とターミナル３との電気的な接続不良の発生を低減させることができ、また、導線２とターミナル３とを固定することができる。
【００１３】
次に、半田の槽からターミナル３の先端を引き抜くと、半田の粘性による力により、導線２が接合部３ａに対して滑り、当接部５ａ側に導線２が所定の範囲だけ移動する。
しかしながら、導線２が当接部５ａと当接することにより、当接部５ａより先端側への導線２の移動が防止されるので、導線２がターミナル３から外れてしまうことを防ぐことができる。
【００１４】
この実施の形態のコイル装置によれば、接合部３ａに巻き付けられた導線２が所定の範囲を超えてターミナル３の軸線方向に移動するのを防止する第１の移動防止手段４が接合部３ａに形成されているので、導線２の端部が巻き付けられたターミナル３の接合部３ａを溶融した半田に浸漬する際に、導線２が所定の範囲を超えて軸線方向に移動することが防止されて、導線２とターミナル３との電気的な接続不良の発生を低減し、また、ターミナル３から導線２が外れてしまうことを防ぐことができる。
【００１５】
また、第１の移動防止手段４は、接合部３ａに巻き付けられた導線２と軸線方向に当接可能な当接部５ａおよび当接部５ｂであるので、簡単な構成で導線２の所定の範囲を超えた軸線方向の移動を防止することができる。
【００１６】
実施の形態２．
図３はこの実施の形態に係るコイル装置の導線２が巻き付けられたターミナル３を示す正面図である。
この実施の形態に係るコイル装置は、非接合部３ｂに巻き付けられた導線２が所定の範囲を超えて軸線方向に移動することを防止する第２の移動防止手段６が、非接合部３ｂに形成されている。
第２の移動防止手段６は、非接合部３ｂの反接合部３ａ側に形成された当接部７から構成されている。
なお、第２の移動防止手段６の数は、これに限らない。
当接部７は、非接合部３ｂに巻き付けられた導線２が軸線方向に沿って、当接部７より反先端側に移動することを防止している。
当接部７は、押しつぶされて一部が径方向に突出した偏平形状となっており、また、摩擦により導線２が切断されないようにエッジのない形状となっている。
非接合部３ｂの当接部７と当接部５ｂとの間を屈曲させても、ターミナル３に巻き付けられた導線２が所定の範囲を超えて移動しないので、コイル装置が配置されるスペースに合わせてターミナル３を自由に変形させることができる。
その他の構成は実施の形態１と同様である。
【００１７】
この実施の形態に係るコイル装置によれば、非接合部３ｂに巻き付けられた導線２が所定の範囲を超えて軸線方向に移動することを防止する第２の移動防止手段６が非接合部３ｂに形成されているので、非接合部３ｂに巻き付けられた導線２が所定の範囲を超えて軸線方向に移動して、図示しない他の部品と接触することを防ぐことができる。
その結果、他の部品との接触により導線２が劣化してしまうことを抑制することができる。
また、非接合部３ｂの当接部７と当接部５ｂを変形させても導線２が所定の範囲を超えて移動しないので、ターミナル３を自由に変形させて、コイル装置のレイアウト性を向上させることができる。
【００１８】
実施の形態３．
図４（ａ）はこの実施の形態に係るコイル装置の導線２が巻き付けられたターミナル３を示す正面図、図４（ｂ）は図４（ａ）のターミナル３を示す側面図である。
この実施の形態に係るコイル装置は、接合部３ａの先端側にある当接部５ａが当接部５ｂより軸線方向に長く形成されている。
その他の構成は実施の形態１と同様である。
なお、実施の形態２に係るコイル装置のように、非接合部３ｂに当接部７を形成してもよい。
【００１９】
この実施の形態に係るコイル装置によれば、ターミナル３の接合部３ａの先端側に形成された当接部５ａは、当接部５ｂよりも軸線方向に長く形成されているので、導線２が巻き付けられたターミナル３を半田に浸漬させる際に、接合部３ａへの半田の付き性を向上させることができる。
【００２０】
実施の形態４．
図５（ａ）はこの実施の形態に係るコイル装置の導線２が巻き付けられるターミナル３を示す正面図、図５（ｂ）は図５（ａ）のターミナル３を示す側面図である。
この実施の形態に係るコイル装置は、接合部３ａおよび非接合部３ｂの全領域に渡って、複数個の当接部８が連続して形成されている。
第１の移動防止手段４は、接合部３ａに形成された複数個の当接部８から構成され、第２の移動防止手段６は、非接合部３ｂに形成された複数個の当接部８から構成されている。
これらの当接部８は、接合部３ａおよび非接合部３ｂの全領域に複数の凹部９が連続して形成されることにより、形成されている。
導線２は、当接部８に当接するようにターミナル３に巻き付けられている。
その他の構成は、実施の形態２と同様である。
【００２１】
この実施の形態に係るコイル装置によれば、接合部３ａおよび非接合部３ｂの全領域に渡って、複数個の当接部８が連続して形成されているので、導線２が巻き付けられたターミナル３が半田に浸漬される際に、導線２が所定の範囲を超えて軸線方向に移動することを防止することができる。
また、非接合部３ｂを変形させても導線２が所定の範囲を超えて移動しないので、ターミナル３を自由に変形させてレイアウト性を向上させることができる。
【００２２】
なお、上記実施の形態１ないし実施の形態３では、押しつぶされて形成された当接部５ａ、当接部５ｂおよび当接部７について説明したが、勿論このものに限らず、実施の形態５に係るコイル装置の当接部８のように、削り加工等によって、形成してもよい。
また、実施の形態５に係るコイル装置の当接部８は、実施の形態１ないし実施の形態３に係るコイル装置の当接部５ａ、当接部５ｂおよび当接部７のように、押しつぶして変形させたものであってもよい。
【図面の簡単な説明】
【００２３】
【図１】図１（ａ）は実施の形態１に係るコイル装置の平面図、図１（ｂ）は図１（ａ）のコイル装置の正面図、図１（ｃ）は図１（ｂ）のコイル装置の側面図である。
【図２】図２（ａ）は図１（ａ）の導線が巻き付けられたターミナルを示す正面図、図２（ｂ）は図２（ａ）のターミナルを示す側面図、図２（ｃ）は図２（ｂ）のターミナルを示す側面図である。
【図３】実施の形態２に係るコイル装置の導線が巻き付けられたターミナルを示す正面図である。
【図４】図４（ａ）は実施の形態３に係るコイル装置の導線が巻き付けられたターミナルを示す正面図、図４（ｂ）は図４（ａ）のターミナルを示す側面図である。
【図５】図５（ａ）は実施の形態４に係るコイル装置の導線が巻き付けられたターミナルを示す正面図、図５（ｂ）は図５（ａ）のターミナルを示す側面図である。
【符号の説明】
【００２４】
１  ボビン、２  導線、３  ターミナル、３ａ  接合部、３ｂ  非接合部、４  第１の移動防止手段、５ａ  当接部、５ｂ  当接部、６  第２の移動防止手段、７  当接部、８  当接部、９  凹部。
【図１】
0005058745.tif 000002
【図２】
0005058745.tif 000003
【図３】
0005058745.tif 000004
【図４】
0005058745.tif 000005
【図５】
0005058745.tif 000006